(57)【要約】【課題】  画像形成装置のパネル上において、ＰＣ上のＷｅｂブラウザと同様なＷｅｂページの表示及び操作を可能とさせること。【解決手段】  表示対象となるＷｅｂページを解析し、ファイル選択ボタンを付加したり、テーブル部分を独立なファイルとするなどの変更を行った動的ｈｔｍｌファイルを作成し、又必要に応じて動的ｃｓｓファイルや動的Ｊａｖａ（登録商標）Ｓｃｒｉｐｔファイルを作成して表示パネル上で上記の動的ファイルに基づいての表示及び操作を行うことにより課題を解決した。【選択図】図１
2010277120.tif 000002
【特許請求の範囲】
【請求項１】
パネルを有してＷｅｂページの表示及び操作が可能な画像形成装置であって、
前記Ｗｅｂページを解析して前記パネルで表示及び操作のために必要な変更点を解析するｈｔｍｌ解析部と、
前記ｈｔｍｌ解析部により解析された変更点に基づき、動的ｈｔｍｌファイルを作成する動的ｈｔｍｌファイル作成部を有する
ことを特徴とする画像形成装置。
【請求項２】
請求項１の画像形成装置であって、
前記ｈｔｍｌ解析部により解析された変更点に基づき、動的ｃｓｓファイルを作成する動的ｃｓｓファイル作成部を有する
ことを特徴とする画像形成装置。
【請求項３】
請求項１又は２の画像形成装置であって、
前記ｈｔｍｌ解析部により解析された変更点に基づき、動的Ｊａｖａ（登録商標）Ｓｃｒｉｐｔファイルを作成する動的Ｊａｖａ（登録商標）Ｓｃｒｉｐｔファイル作成部を有する
ことを特徴とする画像形成装置。
【請求項４】
請求項１から３のいずれかの画像形成装置であって、
前記動的ｈｔｍｌファイル作成部は、所定の変換ルールに基づいて元のＷｅｂページのタグを前記変換ルール中に定義してあるタグに変換する
ことを特徴とする画像形成装置。
【請求項５】
請求項４の画像形成装置であって、
前記動的ｈｔｍｌファイル作成部は、テーブルタグをリンクに変換し、テーブル内容を独立したひとつのｈｔｍｌページとして作成する
ことを特徴とする画像形成装置。
【請求項６】
パネルを有してＷｅｂページの表示及び操作が可能な画像形成装置のコンピュータに、
前記Ｗｅｂページを解析して前記パネルで表示及び操作のために必要な変更点を解析するｈｔｍｌ解析機能と、
前記ｈｔｍｌ解析部により解析された変更点に基づき、動的ｈｔｍｌファイルを作成する動的ｈｔｍｌファイル作成機能とを実現させる
ことを特徴とするアプリケーションビュー変換プログラム。
【発明の詳細な説明】
【技術分野】
【０００１】
画像形成装置のパネル上において、ＰＣ上のＷｅｂブラウザと同様なＷｅｂページの表示及び操作を可能とさせる技術に関するものである。
【背景技術】
【０００２】
近年のプリンタやコピー機などの画像形成装置は、パネルにＷｅｂブラウザを搭載している。これにより、利用者はＷｅｂサーバ上で動作するＷｅｂアプリケーションにアクセスし、パネルに表示するビューを操作してＷｅｂ表示機能を利用できる。しかし、パネルは画像形成装置の操作に特化させたものであり、また画像形成装置は、ＰＣと違いマウスやキーボードを持たない。そのため、画像形成装置のパネルは、ＰＣから操作することを前提とされているＷｅｂアプリケーションを操作することに適しているとはいえない。このため、利用者は画像形成装置とＰＣで表示されるＷｅｂアプリケーションのビューが違うことに違和感を持ち、画像形成装置上でのＷｅｂアプリケーションの操作を諦めてしまう問題が発生する。
【０００３】
従来技術として、Ｗｅｂサーバ上のＨＴＭＬファイルを印刷に適した形態に変更する方法がある（特許文献１参照）。
【０００４】
しかし、特許文献１の方法は、印刷のためにＨＴＭＬファイルを編集するための技術であり、画像形成装置のパネル上によって、違和感の無いＷｅｂページの表示を行うことはできない。
【先行技術文献】
【特許文献】
【０００５】
【特許文献１】特開平１１−１３４１２５号公報
【発明の概要】
【発明が解決しようとする課題】
【０００６】
解決しようとする課題は、画像形成装置のパネル上において、ＰＣ上のＷｅｂブラウザと同様なＷｅｂページの表示及び操作を可能とする点である。
【課題を解決するための手段】
【０００７】
本発明の画像形成装置は、パネルを有してＷｅｂページの表示及び操作が可能な画像形成装置であって、前記Ｗｅｂページを解析して前記パネルで表示及び操作のために必要な変更点を解析するｈｔｍｌ解析部と、前記ｈｔｍｌ解析部により解析された変更点に基づき、動的ｈｔｍｌファイルを作成する動的ｈｔｍｌファイル作成部を有することを特徴とする。
【０００８】
本発明のアプリケーションビュー変換プログラムは、パネルを有してＷｅｂページの表示及び操作が可能な画像形成装置のコンピュータに、前記Ｗｅｂページを解析して前記パネルで表示及び操作のために必要な変更点を解析するｈｔｍｌ解析機能と、前記ｈｔｍｌ解析部により解析された変更点に基づき、動的ｈｔｍｌファイルを作成する動的ｈｔｍｌファイル作成機能とを実現させることを特徴とする。
【発明の効果】
【０００９】
本発明の画像形成装置は、パネルを有してＷｅｂページの表示及び操作が可能な画像形成装置であって、前記Ｗｅｂページを解析して前記パネルで表示及び操作のために必要な変更点を解析するｈｔｍｌ解析部と、前記ｈｔｍｌ解析部により解析された変更点に基づき、動的ｈｔｍｌファイルを作成する動的ｈｔｍｌファイル作成部を有することを特徴とする。
【００１０】
このため、サーバ上のＷｅｂアプリケーションを変更することなく、動的ｈｔｍｌ解析部及び動的ｈｔｍｌファイル作成部がＭＦＰ１０１のパネル１０３に適したようにＷｅｂアプリケーションに基づいて動的ｈｔｍｌを作成するため、同Ｗｅｂアプリケーションのパネル１０３での表示・操作が容易となる。
【００１１】
本発明のアプリケーションビュー変換プログラムは、パネルを有してＷｅｂページの表示及び操作が可能な画像形成装置のコンピュータに、前記Ｗｅｂページを解析して前記パネルで表示及び操作のために必要な変更点を解析するｈｔｍｌ解析機能と、前記ｈｔｍｌ解析部により解析された変更点に基づき、動的ｈｔｍｌファイルを作成する動的ｈｔｍｌファイル作成機能とを実現させることを特徴とする。
【００１２】
このため、サーバ上のＷｅｂアプリケーションを変更することなく、動的ｈｔｍｌ解析部及び動的ｈｔｍｌファイル作成部がＭＦＰ１０１のパネル１０３に適したようにＷｅｂアプリケーションに基づいて動的ｈｔｍｌを作成するため、同Ｗｅｂアプリケーションのパネル１０３での表示・操作が容易となる。
【図面の簡単な説明】
【００１３】
【図１】本発明実施例のＭＦＰ（Multi Functional Peripheral；画像形成装置）の機能ブロック図である。
【図２】変換アプリケーションによるビューの変換の例である。
【図３】ファイル選択ページの参照図である。
【図４】ソフトウェアキーボードページの参照図である。
【図５】テーブルページの参照図である。
【図６】本発明実施例のＭＦＰ（Multi Functional Peripheral；画像形成装置）の動作を示すシーケンス図である。
【発明を実施するための形態】
【００１４】
画像形成装置のパネル上において、ＰＣ上のＷｅｂブラウザと同様なＷｅｂページの表示及び操作を可能とするために、変換アプリケーションが元のＷｅｂページを変換した動的なｈｔｍｌページを作成する方法により解決した。
【実施例】
【００１５】
本発明実施例の画像形成装置としてのＭＦＰ（Multi Functional Peripheral）１０１について、以下に説明する。
【００１６】
ＭＦＰ１０１には、パネル１０３及びネットワークインタフェース１０５が備わっており、ネットワーク上のＷｅｂサーバ上に設置されたＷｅｂアプリケーション２０１にアクセスして、パネル１０１でＷｅｂアプリケーション２０１のｈｔｍｌファイル２５１を表示可能である。
【００１７】
ＭＦＰ１０１は、ＰＣ上で表示及び操作されることを前提として作成されたＷｅｂアプリケーション２０１をＭＦＰ１０１のパネル１０３上で表示・操作してもＷｅｂアプリケーション２０１の操作に問題が起きないように、アプリケーションビュー変更機能を有する変換アプリケーション１１０を備える。このアプリケーションビュー変更機能は、Ｗｅｂアプリケーション２０１から取得したｈｔｍｌ２５１をＭＦＰ１０１のパネル１０３に適した形態に変換させる機能である。この変換アプリケーション１１０は、ＭＦＰ１０１内の画像形成装置アプリケーション１２１から自由に呼び出せる。
【００１８】
［構成］
ＭＦＰ（Multi Functional Peripheral）１０１（画像形成装置）は、パネル１０３、ネットワークインタフェース１０５、変換アプリケーション１１０、画像形成装置アプリケーション１２１、データベース（ＤＢ）１３１を有する。
【００１９】
変換アプリケーション１１０は、内部に変換制御部１１１、ｈｔｍｌ解析部１１３、動的ｈｔｍｌファイル作成部１１５、動的ｃｓｓファイル作成部１１７、動的Ｊａｖａ（登録商標）Ｓｃｒｉｐｔファイル作成部１１９とを有する。
【００２０】
ＭＦＰ１０１は、ネットワーク等のインタフェースを経由して、Ｗｅｂサーバ等に搭載されたＷｅｂアプリケーション２０１にアクセス可能である。
【００２１】
以下に各機能部について説明する。
【００２２】
パネル１０３は、タッチパネルや操作キー等の入力機能と液晶パネル等からなる表示機能を備えたマンマシンインタフェースである。パネル１０１は、ＭＦＰ１０１の装置の状態及び操作のための情報を表示し、タッチパネルや操作キーからの入力を受けてＭＦＰ１０１の操作を可能とする。又、画像形成装置アプリケーション１２１がＷｅｂアプリケーション２０１にアクセスして取得したＷｅｂページを変換アプリケーション１１０により変換してパネル１０３上に表示する。又、前記タッチパネルや操作キーからの入力により、Ｗｅｂページ上に示されたボタンやテキスト入力ボックスなどへの入力を可能として、Ｗｅｂページの操作を可能とする。
【００２３】
ネットワークインタフェース１０５は、ＭＦＰ１０１にネットワークとの通信を可能とさせるインタフェース部である。Ｗｅｂアプリケーション２０１へのアクセスは、当該ネットワークインタフェース１０５経由で行われる。
【００２４】
画像形成装置アプリケーション１２１は、サーバ上のＷｅｂアプリケーションの機能を利用するアプリケーションである。画像形成装置アプリケーション１２１は、Ｗｅｂアプリケーションから取得したｈｔｍｌ文２５１を変換アプリケーション１１０に渡す。また、変換アプリケーション１１０から返される動的ｈｔｍｌ１５３へのリンクを基にパネル１０３に当該動的ｈｔｍｌ１５３のビューを表示する。
【００２５】
変換アプリケーション１１０は、アプリケーションビュー変換機能を有しているアプリケーションである。全てのＭＦＰ１０１内の画像形成装置アプリケーション１２１は、この変換アプリケーション１１０を利用できる。変換アプリケーション１１０は、画像形成装置アプリケーション１２１から取得したｈｔｍｌ文２５１を元にｈｔｍｌ、ｃｓｓ、Ｊａｖａ（登録商標）Ｓｃｒｉｐｔの各ファイルを作成する。これらのファイルをそれぞれ動的ｈｔｍｌ１５３、動的ｃｓｓ１５５、動的Ｊａｖａ（登録商標）Ｓｃｒｉｐｔ１５７と呼ぶ。これらの３つのファイルにより、元々のＷｅｂアプリケーション２０１がＭＦＰ１０１のパネル１０３での表示に適したページに変換されて表示される。
【００２６】
変換制御部１１１は、アプリケーションビュー変換機能の動作を制御する。画像形成装置アプリケーション１２１から取得したｈｔｍｌ文２５１の変換と保存を以下の各実行部（ｈｔｍｌ解析部１１３、動的ｈｔｍｌファイル作成部１１５、動的ｃｓｓファイル作成部１１７、動的Ｊａｖａ（登録商標）Ｓｃｒｉｐｔファイル作成部１１９）に指示する。また、画像形成装置アプリケーション１２１に元のｈｔｍｌファイル２５１から作成した動的ｈｔｍｌファイル１５３へのリンクを通知する。さらに、画像形成装置の機種ごとに異なるパネルの特徴をｈｔｍｌ解析部１１３に通知する役割も持つ。
【００２７】
ｈｔｍｌ解析部１１３は、Ｗｅｂアプリケーション２０１から取得したｈｔｍｌ文２５１を解析する。ｈｔｍｌ文２５１のタグの内容に応じて、各動的ファイル作成部（動的ｈｔｍｌファイル作成部１１５、動的ｃｓｓファイル作成部１１７、動的Ｊａｖａ（登録商標）Ｓｃｒｉｐｔファイル作成部１１９）に動的ファイルの作成・編集を指示する。動的ｈｔｍｌファイル１５３の作成は、タグ変換リストを参照して行われる。タグ変換リストは、ｈｔｍｌのタグと当該タグに対応した変換後のタグ、スタイルシート、Ｊａｖａ（登録商標）Ｓｃｒｉｐｔの記述が関連付けられて記述されている。このタグ変換リストは、例えばｘｍｌ形式で記述されている。
【００２８】
動的ｈｔｍｌファイル作成部１１５は、動的ｈｔｍｌファイル１５３を作成・編集する。ｈｔｍｌ解析部１１３の指示に従い、動的ｈｔｍｌファイル１５３を作成する。また、ｈｔｍｌ解析部１１３の指示に従い、動的ｈｔｍｌファイル１５３を編集する。
【００２９】
動的ｃｓｓファイル作成部１１７は、動的ｃｓｓファイル１５５を作成・編集する。ｈｔｍｌ解析部１１３の指示に従い、動的ｃｓｓファイル１５５を作成する。また、ｈｔｍｌ解析部１１３の指示に従い、動的ｃｓｓファイル１５５を編集し、動的ｈｔｍｌファイル１５３で利用する定義を追加する。動的ｃｓｓファイル１５５は主にデザイン関連の定義が追加される。例えば、ボタンやテキストボックスのデザインである。
【００３０】
動的Ｊａｖａ（登録商標）Ｓｃｒｉｐｔ作成部１１９は、動的Ｊａｖａ（登録商標）Ｓｃｒｉｐｔファイル１５７を作成・編集する。ｈｔｍｌ解析部１１３の指示に従い、動的Ｊａｖａ（登録商標）Ｓｃｒｉｐｔファイル１５７を作成する。また、ｈｔｍｌ解析部１１３の指示に従い、動的Ｊａｖａ（登録商標）Ｓｃｒｉｐｔファイル１５７を編集し、動的ｈｔｍｌファイル１５３で利用する処理を追加する。
【００３１】
動的Ｊａｖａ（登録商標）Ｓｃｒｉｐｔファイル１５７は主に動作に関する処理が追加される。例えば、ｃｓｓを利用して作成されたボタンの動きやＷｅｂアプリケーション２０１にリクエストを送信する処理を定義する。
【００３２】
データベース１３１は、前記した動的ｈｔｍｌファイル１５３、動的ｃｓｓファイル１５５、動的Ｊａｖａ（登録商標）Ｓｃｒｉｐｔファイル１５７等を記憶して、画像形成装置アプリケーション１２１から、前記ファイルを読み出してパネル１０３への表示を行う。
【００３３】
［パネル表示変換の実際例；ファイル選択ボタン］
図２にＰＣ上で示されるＷｅｂページをＭＦＰ１０１の変換アプリケーション１１０によって変換してＭＦＰ１０１のパネル１０３上で表示した例を示す。このＷｅｂアプリケーションは、参照ボタンを押すことで端末の記憶ディスク内にあるファイル一覧を表示し、ユーザによって選択されたファイルのパスをテキストボックスに表示する。また、ＯＫボタンを押すことで、Ｗｅｂアプリケーションは端末から選択されたファイルをＷｅｂアプリケーションのサーバに送信させる。
【００３４】
本発明実施例のＭＦＰ１０１中の変換アプリケーション１１０は、例えば以下の表１に記載するルールでＷｅｂアプリケーションから取得したＨＴＭＬを変換する。
【００３５】
【表１】
2010277120.tif 000003
表１に示すようにＰＣにおいて表示されるファイル参照タグは、ＭＦＰ１０１ではボタンタグに変換される。また、表示されるファイル選択ダイアログの代わりに、あらかじめＭＦＰ１０１に用意されているファイル選択用のＷｅｂページが表示される。これは、ＰＣとは異なる方式で管理しているＭＦＰ１０１でファイルを選択しやすくするためのＷｅｂページである。
【００３６】
図３に示すようにファイル選択Ｗｅｂページ（ｈｔｍｌ形式）は、データベース１３１中に存在し、呼び出し元のｈｔｍｌファイルにある、ファイル参照のリクエストに基づいて、当該ファイル選択Ｗｅｂページから選択されたファイルへのパスが呼び出し元のサーバに送り返される。
【００３７】
［パネル表示変換の実際例；ソフトウェアキーボード表示ボタン］
パネル１０３上での操作を容易にするために、ソフトウェアキーボード表示ボタンを付加する。このボタンは、<input type=”text”>タグの直前に表示される。このボタンは、ＭＦＰ１０１独自に実装されているソフトウェアキーボードを呼び出すためのボタンである。なお、<input type=”text”>タグの直前がタグに囲まれていない文字列だった場合、ソフトウェアキーボード表示ボタンのラベルとして利用されてもよい。
【００３８】
図４にソフトウェアキーボードページの参照例について示す。ソフトウェアキーボードはｈｔｍｌ形式でデータベース上に搭載されている。変換アプリケーション１１０は、遷移制御を行うＪａｖａ（登録商標）Ｓｃｒｉｐｔにより、呼び出し元ｈｔｍｌファイルに対応する文字列入力の要求に基づいて、ソフトウェアキーボードを生成する。ソフトウェアキーボードを用いて入力された文字列は、呼出もとのサーバに送り返される。
【００３９】
［パネル表示変換の実際例；テーブル表示ページへの参照］
ＰＣのディスプレイ上では問題のないテーブルの表示が、ＭＦＰのパネルの大きさの制約を受けて表示されない場合がある。この場合には、テーブル部分を別のＷｅｂページとして表示を行う。変換アプリケーション１１０は、呼び出し元のＷｅｂページの<table>タグを、以下の表２に示すようなテーブル表示ページへのリンクに変換する。
【００４０】
【表２】
2010277120.tif 000004
また同様に、<textarea>タグなども別のWebページを作成してもよい。
【００４１】
上記のテーブルページの参照の仕組みについて、図５を用いて説明する。変換アプリケーションは、呼び出し元ｈｔｍｌページ中にテーブルがあるのを解析して、遷移制御Ｊａｖａ（登録商標）Ｓｃｒｉｐｔにより、動的ｈｔｍｌページ中のタグを上記表２のように変換し、さらに図５に示すようにテーブル表示ｈｔｍｌを生成する。
【００４２】
［フローチャート］
次に本発明実施例のＭＦＰによる動作の流れについて、図６のシーケンス図を用いて説明する。
【００４３】
Ｓ１０：  変換制御部１１１は、アプリケーションビュー変換機能が利用される画像形成装置の機種を判断する。機種に応じてパネルの画素構成等が異なるため、変換制御部１１１は、対応するパネルのデータを取得して変換に備える。
【００４４】
Ｓ２０：  変換制御部１１１は、ｈｔｍｌファイル２５１の変換をｈｔｍｌ解析部１１３に指示する。
【００４５】
Ｓ２１：  ｈｔｍｌ解析部１１３は、ｈｔｍｌファイル２５１を解析し、変換の必要性を判定する。
【００４６】
Ｓ２２：  動的ｈｔｍｌファイル作成部１１５は、動的ｈｔｍｌファイル１５３を作成する。
【００４７】
Ｓ２３：  動的ｃｓｓファイル作成部１１７は、動的ｃｓｓファイル１５５を作成する。ただし、変換対象のｈｔｍｌによっては、動的ｃｓｓファイル１５５を作成しないことがある。
【００４８】
Ｓ２４：  動的Ｊａｖａ（登録商標）Ｓｃｒｉｐｔファイル作成部１１９は、動的Ｊａｖａ（登録商標）Ｓｃｒｉｐｔファイル１５７を作成する。ただし、変換対象のｈｔｍｌファイル２５１によっては、動的Ｊａｖａ（登録商標）Ｓｃｒｉｐｔファイル１５７を作成しないことがある。
【００４９】
Ｓ２５：  ｈｔｍｌ解析部１１３は、動的ｈｔｍｌファイル作成部１１５に対して、動的ｈｔｍｌファイル１５３を編集するよう指示する。この編集においては、タグ変換リストに基づいてタグの変換を行う。この処理は、元のｈｔｍｌファイル２５１内のタグの数に応じて繰り返し実行される。
【００５０】
Ｓ２６：  ｈｔｍｌ解析部１１３は、動的ｃｓｓファイル作成部１１７に対して、動的ｃｓｓファイル１５５を編集するよう指示する。この編集においては、タグ変換リストに基づいて、新しいデザインの定義が実行される。この処理は、元のｈｔｍｌファイル２５１内のタグの数に応じて繰り返し実行される。
【００５１】
Ｓ２７：  ｈｔｍｌ解析部１１３は、動的Ｊａｖａ（登録商標）Ｓｃｒｉｐｔファイル作成部１１９に対して、動的Ｊａｖａ（登録商標）Ｓｃｒｉｐｔファイル１５７を編集するよう指示する。この編集においては、タグ変換リストに基づいて、新しい処理を定義する。この処理は、元のｈｔｍｌファイル２５１内のタグの数に応じて繰り返し実行される。
【００５２】
Ｓ３０：  ｈｔｍｌ解析部１１３は、動的ｈｔｍｌファイル１５３にアクセスするためのアドレスを変換制御部１１１に返す。
【００５３】
以上の一連の動作により、元のｈｔｍｌ文２５１に対応した、ＭＦＰ１０１のパネルに適応するように変換された動的ｈｔｍｌファイル１５３、動的ｃｓｓファイル１５５、動的Ｊａｖａ（登録商標）Ｓｃｒｉｐｔファイル１５７が作成される。これらファイルは、データベース１３１中に保存され、画像形成装置アプリケーションから読み出されて、上記の動的ファイルに基づくＷｅｂページがパネル１０３上に表示される。
【００５４】
［実施例の効果］
サーバ上のＷｅｂアプリケーション２０１を変更することなく、変換アプリケーション１１０がＭＦＰ１０１のパネル１０３に適したようにＷｅｂアプリケーションを動的ｈｔｍｌ、動的ｃｓｓ、動的Ｊａｖａ（登録商標）Ｓｃｒｉｐｔに変換するため、Ｗｅｂアプリケーション２０１には変更を行わずとも、パネル１０３での表示・操作が行いやすくなる。
【００５５】
ＰＣ上でのファイルタグは、変換アプリケーション１１０によりボタンタグに変換される。また、ファイル選択ダイアログは、選択用のＷｅｂページに変換されるため、操作が容易になる。
【００５６】
ＰＣ上でのテキスト入力タグは、変換アプリケーション１１０によりソフトウェアキーボード呼出ボタンに変換されるため、フルキーボードを備えていない画像形成装置においても、テキスト入力操作が容易になる。
【００５７】
ＰＣ上でのテーブルタグとなっている部分は、テーブル内容は新しいｈｔｍｌページとして作成され、テーブルのタグ自体は当該ｈｔｍｌページを指し示すリンクとして変換されるため、大型のテーブルであっても、表示面積の限られたパネル１０３上での閲覧が容易となる。
【００５８】
［その他］
変換アプリケーション１１０は、ＭＦＰ１０１の内部の各アプリケーションがその機能有する構成であってもいい。
【符号の説明】
【００５９】
１０１  ＭＦＰ（画像形成装置）
１０３  パネル
１０５  ネットワークインタフェース
１１０  変換アプリケーション
１１１  変換制御部
１１３  ｈｔｍｌ解析部
１１５  動的ｈｔｍｌファイル作成部
１１７  動的ｃｓｓファイル作成部
１１９  動的Ｊａｖａ（登録商標）Ｓｃｒｉｐｔファイル作成部
１２１  画像形成装置アプリケーション
１３１  ＤＢ（データベース）
２０１  Ｗｅｂアプリケーション
【図１】
2010277120.tif 000005
【図２】
2010277120.tif 000006
【図３】
2010277120.tif 000007
【図４】
2010277120.tif 000008
【図５】
2010277120.tif 000009
【図６】
2010277120.tif 000010